(57)【要約】【課題】Ｂｌｕｅｔｏｏｔｈ機能を利用するユーザと、その周辺に存在する他者とが衝突してしまう危険性を低減可能とする。【解決手段】携帯端末１を構成するＢｌｕｅｔｏｏｔｈ通信部１０は、他の携帯端末２から送出されるＢｌｕｅｔｏｏｔｈ方式に則した無線信号１０１を受信する。制御部３０は、無線信号１０１の受信強度を監視し、前記受信強度が増大する傾向にある場合、警告部２０に、他の携帯端末２が自端末１に接近している旨の警告を発生させる。【選択図】図１
2011166263.tif 000002
【特許請求の範囲】
【請求項１】
Ｂｌｕｅｔｏｏｔｈ方式に則した無線通信を行う通信手段と、
自端末を所持するユーザに対して警告を発生する警告手段と、
前記通信手段で受信された他の携帯端末からの無線信号の受信強度を監視し、前記受信強度が増大する傾向にある場合、前記警告手段に、前記他の携帯端末が自端末に接近している旨の警告を発生させる制御手段と、
を備えた携帯端末。
【請求項２】
請求項１において、
前記警告手段が、前記警告を表示するディスプレイであることを特徴とした携帯端末。
【請求項３】
請求項２において、
前記通信手段が、前記無線通信を、互いに異なる指向性を有する複数のアンテナを介して行い、
前記制御手段が、前記複数のアンテナからの無線信号の受信強度に基づき、自端末に対する前記他の携帯端末の相対位置を検出すると共に、前記警告手段に、前記相対位置を前記警告として表示させることを特徴とした携帯端末。
【請求項４】
Ｂｌｕｅｔｏｏｔｈ方式に則した無線通信を行う携帯端末に用いる警告制御方法であって、
他の携帯端末からの無線信号の受信強度を監視し、
前記受信強度が増大する傾向にある場合、前記他の携帯端末が前記携帯端末に接近している旨を、前記携帯端末を所持するユーザに対して警告する、
ことを含む警告制御方法。
【請求項５】
請求項４において、
前記警告を、ディスプレイへの表示により行うことを特徴とした警告制御方法。
【請求項６】
請求項５において、
前記無線通信が互いに異なる指向性を有する複数のアンテナを介して行われる場合、前記複数のアンテナからの無線信号の受信強度に基づき、前記携帯端末に対する前記他の携帯端末の相対位置を検出すると共に、前記相対位置を前記警告として表示することを特徴とした警告制御方法。
【請求項７】
Ｂｌｕｅｔｏｏｔｈ方式に則した無線通信を行う携帯端末に、
他の携帯端末からの無線信号の受信強度を監視する処理と、
前記受信強度が増大する傾向にある場合、前記他の携帯端末が前記携帯端末に接近している旨を、前記携帯端末を所持するユーザに対して警告する処理と、
を実行させるための警告制御プログラム。
【発明の詳細な説明】
【技術分野】
【０００１】
本発明は、携帯端末、並びにこれに用いる警告制御方法及びプログラムに関し、特に携帯電話機等のＢｌｕｅｔｏｏｔｈ機能を利用する他者の接近を警告する技術に関する。
【背景技術】
【０００２】
近年、Ｂｌｕｅｔｏｏｔｈ機能を有する携帯電話機が普及している。ここで、Ｂｌｕｅｔｏｏｔｈ機能とは、携帯電話機が、Ｂｌｕｅｔｏｏｔｈ方式に則してヘッドセット等の外部ユニットとの無線通信を行う機能のことである。
【０００３】
このような携帯電話機を所持するユーザは、Ｂｌｕｅｔｏｏｔｈ機能を利用し、以てハンズフリー状態で、通話を行うことや音楽を聴くこと等ができる。
【０００４】
なお、参考技術として、特許文献１には、近接する２つの携帯端末同士間でのデータ交換に先立ち、一方の携帯端末が、他方の携帯端末を、Ｂｌｕｅｔｏｏｔｈ方式に則した識別子の無線交換により識別する方法が記載されている。
【先行技術文献】
【特許文献】
【０００５】
【特許文献１】特開２００９−１８８９８９号公報
【発明の概要】
【発明が解決しようとする課題】
【０００６】
しかしながら、Ｂｌｕｅｔｏｏｔｈ機能を利用するユーザは、通話や音楽等に意識が集中するあまりに、周辺への配慮が散漫な状態となり、以て他者と衝突する虞がある。
【０００７】
従って、本発明の目的は、Ｂｌｕｅｔｏｏｔｈ機能を利用するユーザと、その周辺に存在する他者とが衝突してしまう危険性を低減可能とすることにある。
【課題を解決するための手段】
【０００８】
上記の目的を達成するため、本発明の一態様に係る携帯端末は、Ｂｌｕｅｔｏｏｔｈ方式に則した無線通信を行う通信手段と、自端末を所持するユーザに対して警告を発生する警告手段と、前記通信手段で受信された他の携帯端末からの無線信号の受信強度を監視し、前記受信強度が増大する傾向にある場合、前記警告手段に、前記他の携帯端末が自端末に接近している旨の警告を発生させる制御手段とを備える。
【０００９】
また、本発明の一態様に係る警告制御方法は、Ｂｌｕｅｔｏｏｔｈ方式に則した無線通信を行う携帯端末に用いる警告制御方法を提供する。この警告制御方法は、他の携帯端末からの無線信号の受信強度を監視し、前記受信強度が増大する傾向にある場合、前記他の携帯端末が前記携帯端末に接近している旨を、前記携帯端末を所持するユーザに対して警告することを含む。
【００１０】
さらに、本発明の一態様に係る警告制御プログラムは、Ｂｌｕｅｔｏｏｔｈ方式に則した無線通信を行う携帯端末に、他の携帯端末からの無線信号の受信強度を監視する処理と、前記受信強度が増大する傾向にある場合、前記他の携帯端末が前記携帯端末に接近している旨を、前記携帯端末を所持するユーザに対して警告する処理とを実行させる。
【発明の効果】
【００１１】
本発明によれば、Ｂｌｕｅｔｏｏｔｈ機能を利用するユーザと、その周辺に存在する他者とが衝突してしまう危険性を低減することが可能である。
【図面の簡単な説明】
【００１２】
【図１】本発明の実施の形態１に係る携帯端末の概略的な構成例を示したブロック図である。
【図２】本発明の実施の形態１に係る携帯端末の具体的な構成例を示したブロック図である。
【図３】本発明の実施の形態１に係る携帯端末の動作例を示したフローチャート図である。
【図４】本発明の実施の形態２に係る携帯端末の構成例を示したブロック図である。
【発明を実施するための形態】
【００１３】
以下、本発明に係る携帯端末の実施の形態１及び２を、図１〜図４を参照して説明する。なお、各図面において、同一要素には同一の符号が付されており、説明の明確化のため、必要に応じて重複説明は省略される。
【００１４】
[実施の形態１]
図１に示すように、本実施の形態に係る携帯端末１は、Ｂｌｕｅｔｏｏｔｈ通信部１０と、警告部２０と、制御部３０とを備えている。
【００１５】
この内、Ｂｌｕｅｔｏｏｔｈ通信部１０は、大略、Ｂｌｕｅｔｏｏｔｈ方式に則した無線通信を行う。具体的には、Ｂｌｕｅｔｏｏｔｈ通信部１０は、他の携帯端末２を所持するユーザ(以下、他ユーザと呼称する)がＢｌｕｅｔｏｏｔｈ機能を利用した際に送出される無線信号１０１(以下、Ｂｌｕｅｔｏｏｔｈ無線信号と呼称する)を受信する。
【００１６】
また、警告部２０は、制御部３０からの指示に従って、携帯端末１を所持するユーザ(以下、自ユーザと呼称する)に対して警告を発生する。
【００１７】
さらに、制御部３０は、Ｂｌｕｅｔｏｏｔｈ無線信号１０１の受信強度を監視し、当該受信強度が増大する傾向にある場合、警告部２０に対して、他の携帯端末２が自端末１に接近している旨の警告(すなわち、Ｂｌｕｅｔｏｏｔｈ機能を利用する他ユーザが自ユーザに接近している旨の警告)を発生するよう指示する。
【００１８】
これにより、自ユーザは、周辺への配慮が散漫な状態で在り得る他ユーザの存在を認識でき、以て他ユーザに対して注意を払うことができる。従って、他ユーザ(Ｂｌｕｅｔｏｏｔｈ機能を利用するユーザ)と、自ユーザ(周辺に存在する他者)との衝突を未然に回避することができる。
【００１９】
また、Ｂｌｕｅｔｏｏｔｈ方式による通信範囲は１０ｍ程度と狭いため、自ユーザにとっては、衝突の危険性がある程に他ユーザと近接している場合にのみ注意を払えば良いというメリットもある。
【００２０】
以下、本実施の形態の具体的な構成例及び動作例を、携帯端末１を携帯電話機として機能させる場合を例に取り、図２及び図３をそれぞれ参照して詳細に説明する。
【００２１】
まず、図２に示すように、携帯端末１は、上記のＢｌｕｅｔｏｏｔｈ通信部１０及び制御部３０を備えている。また、携帯端末１は、上記の警告部２０の一例として、ディスプレイ２０ａを備えている。さらに、携帯端末１は、無線通信部４０と、計時部５０と、メモリ６０と、キー操作部７０と、各種の周辺回路８０とを備えている。
【００２２】
この内、Ｂｌｕｅｔｏｏｔｈ通信部１０は、アンテナ１１を介して受信した無線信号を復調し、制御部３０へ出力する。また、Ｂｌｕｅｔｏｏｔｈ通信部１０は、制御部３０から出力された各種信号を変調して無線信号に変換し、当該無線信号をアンテナ１１を介して送出する。なお、アンテナ１１は、Ｂｌｕｅｔｏｏｔｈ方式で規定される周波数帯域での無線信号の送受信に対応している。
【００２３】
ディスプレイ２０ａは、制御部３０からの指示(表示命令)に応じて、メモリ６０に記憶された、地図や撮影画像等の画像データ、電話番号データ、及びテキストデータ等を表示する。
【００２４】
無線通信部４０は、大略、各種の移動体通信方式に則して、基地局との無線通信を行う。具体的には、無線通信部４０は、アンテナ４１を介して受信した無線信号を復調し、制御部３０へ出力する。また、無線通信部４０は、制御部３０から出力された各種信号を変調して無線信号に変換し、当該無線信号をアンテナ４１を介して送出する。なお、アンテナ４１は、移動体通信方式で規定される周波数帯域での無線信号の送受信に対応している。アンテナ４１は、内蔵式又は伸縮式のいずれでも良い。
【００２５】
計時部５０は、一般的な計時機能を有する。
【００２６】
メモリ６０は、上記の画像データ、電話番号データ、及びテキストデータ等に加えて、制御部３０により実行される制御プログラムと、Ｂｌｕｅｔｏｏｔｈ無線信号１０１の受信強度に関する計測データとを記憶する。
【００２７】
キー操作部７０は、決定キーや記号等のファンクションキーを備え、ユーザからのキー操作に応じた信号を、制御部３０へ出力する。
【００２８】
制御部３０は、キー操作部７０からの入力信号に応じて、メモリ６０に記憶された制御プログラムを実行し、以てＢｌｕｅｔｏｏｔｈ通信部１０、ディスプレイ２０ａ、無線通信部４０、計時部５０、メモリ６０、及び周辺回路８０を制御する。
【００２９】
動作においては、Ｂｌｕｅｔｏｏｔｈ通信部１０が、図１に示した他の携帯端末２から送出されたＢｌｕｅｔｏｏｔｈ無線信号１０１を受信する。図３に示すように、制御部３０は、Ｂｌｕｅｔｏｏｔｈ無線信号１０１の受信強度１０２を定期的に計測する(ステップＳ１)。具体的には、制御部３０は、受信強度１０２を計測する度毎に、メモリ６０に、計時部５０により計時された時刻と、計測した受信強度１０２とを対応付けて記憶する。
【００３０】
また、制御部３０は、受信強度１０２を計測する度毎に、メモリ６０に記憶した受信強度を時系列にトレースし、以て受信強度１０２が増大する傾向にあるか否かを判定する(ステップＳ２)。
【００３１】
この結果、受信強度１０２が増大する傾向にないと判定した場合、制御部３０は、上記のステップＳ１に戻って、受信強度１０２の計測を継続する。
【００３２】
一方、受信強度１０２が増大する傾向にあると判定した場合、制御部３０は、ディスプレイ２０ａに対して、他の携帯端末２が自端末１に接近している旨の警告を表示するよう指示する。これに応じて、ディスプレイ２０ａは、例えばテキストデータを用いて警告を表示する(ステップＳ３)。
【００３３】
これにより、自ユーザは、メール作成やブラウザ操作等を行っている場合(すなわち、意識がディスプレイ２０ａに集中し、周辺への配慮が散漫な状態に在る場合)であっても、接近して来る他ユーザの存在を確実に認識できる。なお、図示を省略するが、自ユーザに対する警告は音や光等を用いて発生しても良く、この場合も同等の効果が得られることとなる。
【００３４】
[実施の形態２]
図４に示すように、本実施の形態に係る携帯端末１ａは、Ｂｌｕｅｔｏｏｔｈ通信部１０が、図２に示したアンテナ１１に代えて、ｎ個の指向性アンテナ１２＿１〜１２＿ｎを介して無線信号の送受信を行う点で、上記の実施の形態１と異なる。ここで、指向性アンテナ１２＿１〜１２＿ｎは、互いに異なる指向性を有する。
【００３５】
動作において、制御部３０は、指向性アンテナ１２＿１〜１２＿ｎをそれぞれ介して受信されたＢｌｕｅｔｏｏｔｈ無線信号の受信強度の内のいずれかの受信強度が増大する傾向にあると判定した場合、ディスプレイ２０ａへの警告表示が必要と判断する。
【００３６】
この時、制御部３０は、指向性アンテナ１２＿１〜１２＿ｎにそれぞれ対応する受信強度の内で最大値を呈する受信強度に基づき、自端末１ａに対する他の携帯端末２の相対位置を検出する。具体的には、制御部３０は、最大値を呈する受信強度に対応するアンテナの指向性から、他の携帯端末２が接近して来る方向を推定する。また、制御部３０は、当該受信強度から、他の携帯端末２と自端末１ａとの間の距離を推定する。
【００３７】
そして、制御部３０は、ディスプレイ２０ａに、検出した相対位置を警告として表示させる。
【００３８】
これにより、自ユーザは、接近して来る他ユーザの存在をより確実に認識できることに加えて、他ユーザとの衝突の危険度合いを把握することができる。
【００３９】
なお、上記の実施の形態によって本発明は限定されるものではなく、特許請求の範囲の記載に基づき、当業者によって種々の変更が可能なことは明らかである。例えば、上記の実施の形態に示した携帯端末の各処理を、コンピュータに実行させるためのプログラムとして提供することもできる。この場合、当該プログラムを、コンピュータ内のプロセッサが実行可能なようにメモリ等の記憶媒体に格納すると好適である。或いは、当該プログラムは、既存の携帯端末に組み込まれたファームウェアへのプラグインとして提供しても良い。
【符号の説明】
【００４０】
１, １ａ, ２  携帯端末
１０  Ｂｌｕｅｔｏｏｔｈ通信部
１１  アンテナ
１２＿１〜１２＿ｎ  指向性アンテナ
２０  警告部
２０ａ  ディスプレイ
３０  制御部
４０  無線通信部
４１  アンテナ
５０  計時部
６０  メモリ
７０  キー操作部
８０  キー操作部
１０１  Ｂｌｕｅｔｏｏｔｈ無線信号
１０２  受信強度
【図１】
2011166263.tif 000003
【図２】
2011166263.tif 000004
【図３】
2011166263.tif 000005
【図４】
2011166263.tif 000006